(57)【要約】      （修正有）【課題】ハウジングと、ハウジング内に設けられる伝達機構と、伝達機構の運動を駆動する駆動装置と、伝達機構から駆動されて垂直に上下運動する針案内棒を備える４本針６本糸ミシンの針保護構造を提供する。【解決手段】伝達機構３０は、ハウジングに設けることによりその回転と長軸方向の変位を制限される地糸運動主軸４０を少なくとも有し、地糸運動主軸４０の終端縁部に、縮径セグメントがあり、その縮径セグメントの終端に地糸案内装置４１が固設され、ハウジング内に針保護構造５０があり、針保護構造５０は、縮径セグメントに設けられる位置制限部材４２と、突き押し部４０２と位置制限部材４２との間に位置し縮径セグメントの縮径部に跨り乗る跨り乗り座５１と、一端が跨り乗り座５１に締結され、ハウジングに設けることにより長軸方向への変位可能のみを制限する支持案内棒５２と、支持案内棒５２の終端に固設される針保護装置５５とを含む。【選択図】図３
0003210233.tif 000002
【実用新案登録請求の範囲】
【請求項１】
ハウジングと、前記ハウジング内に設けられる伝達機構と、前記伝達機構の運動を駆動する駆動装置と、前記伝達機構から駆動されて垂直に上下運動する針案内棒を備え、前記伝達機構は、前記ハウジングに設けることによりその回転と軸方向の変位を制限される地糸運動主軸を少なくとも有し、前記地糸運動主軸の終端縁部に、縮径セグメントがあり、前記縮径セグメントの終端に地糸案内装置が固設され、前記縮径セグメントと前記地糸運動主軸のとの境界に突き押し部が形成され、前記針案内棒の下方に針ホルダーがあり、前記針ホルダーの下方に複数のミシン針が設置する４本針６本糸ミシンの針保護構造において、
前記ハウジング内に前記針保護構造があり、前記針保護構造は、前記縮径セグメントに設けられる位置制限部材と、前記突き押し部と前記位置制限部材との間に位置し前記縮径セグメントに跨り乗る跨り乗り座と、一端が前記跨り乗り座に締結され、前記ハウジングに設けることにより軸方向への変位可能のみを制限する支持案内棒と、前記支持案内棒の他端に固設され、前記ミシン針を突き押すための針保護部を有する針保護装置を少なくとも含むことを特徴とする４本針６本糸ミシンの針保護構造。
【請求項２】
前記位置制限部材と前記跨り乗り座との間に、前記縮径セグメントへ設置するはめ輪をさらに有することを特徴とする請求項１に記載の４本針６本糸ミシンの針保護構造。
【請求項３】
前記地糸運動主軸は、前記ハウジング内に固設される締結部を有し、前記縮径セグメントにはめ込み、前記縮径セグメントの与える回動の可動範囲と軸方向の変位量を提供する主軸滑り環を有することを特徴とする請求項１に記載の４本針６本糸ミシンの針保護構造。
【請求項４】
前記支持案内棒は、はめ筒を有し、前記はめ筒は、前記ハウジングの上に固設され、前記支持案内棒にはめ込んで前記支持案内棒の長軸方向の変位量を提供することを特徴とする請求項１に記載の４本針６本糸ミシンの針保護構造。
【請求項５】
前記支持案内棒は、スリーブを有し、前記スリーブは、前記ハウジングの上に固設され、前記支持案内棒にはめ込んで前記支持案内棒の長軸方向の変位量を提供することを特徴とする請求項４に記載の４本針６本糸ミシンの針保護構造。
【考案の詳細な説明】
【技術分野】
【０００１】
本考案は、４本針６本糸ミシンの針保護構造に関し、特に地糸案内装置と針保護装置とを分離して設置する針保護構造に関する。
【背景技術】
【０００２】
ミシンが縫製作業を行う過程として、ミシン針が生地の上方から下方へ貫通して生地に至り、最低点に進んでいてから最低点から上方へ変位して生地を離れる。ほかにも、ミシン針が往復で縫製作業を行う際、ミシンのハウジング内には地糸を持つ地糸案内装置があるため、前記地糸案内装置がミシン針と相互運動して地糸を案内されてミシン針の織糸と共に、生地上に糸縛りを形成し、ミシン針が上下変位を繰り返し行なって織糸を連れ込むことと、地糸案内装置が往復に揺動回転を行って地糸を貫通させることを相互に運動した後、即ち生地上にミシン縫い構造を形成することができる。
【０００３】
具体的に説明すれば、ミシン針が生地の上方から下方へ変位する際、ミシン針の前端が生地の貫通に生じる抗力とミシン針の下へ変位する時に織糸から形成された張力などの原因で、ミシン針と糸案内装置との運動軌跡が相対的な位置ずれを発生する現象が引き起こされる。従って、地糸案内装置が往復に揺動回転を行う際、その揺動回転の軌跡がミシン針にすぐ近くでなければならないため、ミシン針が変位して連れ込んだ織糸の前端が相対的な位置ずれを発生する時、必ず地糸案内装置による揺動回転の運動軌跡に対して妨害又は影響を受け、糸縛りの時に目飛びが引き起こる問題が発生し、もしくは地糸案内装置がミシン針とぶつかってミシン針の変形又は針折れの問題が発生する。
【０００４】
前記の問題を解決するため、台湾実用新案第ＴＷ  Ｍ３５１８８３号公報には、ミシン用糸通しフック装置の針保護調整の組み合わせが開示している。
【０００５】
この糸通しフック装置（即ち本考案に述べる地糸案内装置である）は、基台と、針フック棒と、針保護棒（即ち本考案に述べる針保護装置である）を含む。基台には下向きの支持棒が設置し、前記針フック棒および針保護棒が横向きへ基台の上方までに伸びる。針フック棒は一端が下へ基台に連結されるつなぎ棒と、他端がぶら下がるフック先端を有し、前記針フック棒はつなぎ棒とフック先端との間に糸通し穴通路が設ける。前記針保護棒は、一端に、連結座と他端のぶら下がる突出部が設けられ、同じ方向に間隔をおいて針フック棒の下方に位置する。針保護棒の連結座は、針フック棒のつなぎ棒の側面に定位し、互いにスルホールおよび相対的なねじ穴が設置され、対応する固定ボルトで締結される。前記針保護棒の連結座には、針保護棒の位置を調整制御するための調整装置が設置される。
【０００６】
従来技術に開示された内容から分かるように、従来技術による針保護棒（即ち本考案に述べる針保護装置である）と糸通しフック装置（即ち本考案に述べる地糸案内装置である）はしっかりと締結されて一体になり、つまりミシンは４本針６本糸ミシンとすれば、必ず複数のミシン針を有し、糸通しフック装置が往復に揺動回転を行う際、針保護棒は必ず同期して揺動回転を行なう。
【０００７】
針保護棒が糸通しフック装置に伴って揺動回転を行うため、針保護棒は、１本ずつミシン針に突き押しを行い、ミシン針を突き押しても安定を得る可能な機能であるため、必然的にかなりの力を与えて、突き押されたミシン針がわずかに前へ曲げられる状況になる。この場合、針保護棒が糸通しフック装置に伴って揺動回転して１本ずつ次のミシン針に対して突き押す際、針保護棒の１本ずつがまだ突き押されていない各ミシン針とぶつかり、長期間が経過すると、針保護棒の摩耗を引き起こしやすい、又はミシン針の変形や針折れを引き起す問題がある。
【先行技術文献】
【特許文献】
【０００８】
【特許文献１】台湾実用新案第ＴＷ  Ｍ３５１８８３号公報
【考案の概要】
【考案が解決しようとする課題】
【０００９】
本考案は上記従来の問題点に鑑みてなされたものであって、本考案の主な目的は、従来の技術で針保護装置が地糸案内装置に伴って同期して回転と軸方向の変位運動を行うことにより、針保護装置がミシン針とぶつかる問題を解決する、４本針６本糸ミシンの針保護構造を提供することにある。
【課題を解決するための手段】
【００１０】
上記目的を達成するために、本考案による４本針６本糸ミシンの針保護構造は、ハウジングと、前記ハウジング内に設けられる伝達機構と、前記伝達機構の運動を駆動する駆動装置と、前記伝達機構から駆動されて垂直に上下運動する針案内棒を備え、前記伝達機構は、前記ハウジングに設けることによりその回転と軸方向の変位を制限される地糸運動主軸を少なくとも有し、前記地糸運動主軸の終端縁部に、縮径セグメントがあり、前記縮径セグメントの終端に地糸案内装置が固設され、前記縮径セグメントと前記地糸運動主軸のとの境界に突き押し部が形成され、前記針案内棒の下方に針ホルダーがあり、前記針ホルダーの下方に複数のミシン針が設置することであって、前記ハウジング内に前記針保護構造があり、前記針保護構造は、前記縮径セグメントに設けられる位置制限部材と、前記突き押し部と前記位置制限部材との間に位置し前記縮径セグメントに跨り乗る跨り乗り座と、一端が前記跨り乗り座に締結され、前記ハウジングに設けることにより軸方向への変位可能のみを制限する支持案内棒と、前記支持案内棒の他端に固設され、前記ミシン針を突き押すための針保護部を有する針保護装置を少なくとも含む。
【００１１】
４本針６本糸ミシンの針保護構造において、前記位置制限部材と前記跨り乗り座との間に、前記縮径セグメントへ設置するはめ輪をさらに有する。
【００１２】
４本針６本糸ミシンの針保護構造において、前記地糸運動主軸は、前記ハウジング内に固設される締結部を有し、前記縮径セグメントにはめ込み縮径セグメントの与える回動の可動範囲と軸方向の変位量を提供する主軸滑り環を有する。
【００１３】
４本針６本糸ミシンの針保護構造において、前記支持案内棒は、はめ筒を有し、前記はめ筒は、前記ハウジングの上に固設され、前記支持案内棒にはめ込んで前記支持案内棒の長軸方向の変位量を提供する。
【００１４】
４本針６本糸ミシンの針保護構造において、前記支持案内棒は、スリーブを有し、前記スリーブは、前記ハウジングの上に固設され、前記支持案内棒にはめ込んで前記支持案内棒の長軸方向の変位量を提供する。
【考案の効果】
【００１５】
上述のように、本考案は従来の技術と比較すると、以下のような効果がある。本考案は、地糸案内装置と針保護装置との分離設置に形成された針保護構造を通じて、突き押し部と位置制限部材との間に位置し縮径セグメントに跨り乗る跨り乗り座と、一端が跨り乗り座に締結され、ハウジングに設けることにより軸方向への変位可能のみを制限する支持案内棒により、針保護装置が地糸案内装置に伴って軸方向の変位運動のみを行えて突き押しの目的が達成しても、針保護装置が地糸案内装置に伴って回転運動を行うことがなく、針保護装置が回転でミシン針とぶつかりの問題が発生しない。
【図面の簡単な説明】
【００１６】
【図１】本考案による外観と内部構造を示す概略図である。
【図２】本考案による図１の一部外観を示す概略図である。
【図３】本考案による第１実施形態の図２の一部拡大外観を示す概略図である。
【図４】本考案による図３の一部を分解した構造を示す拡大分解図である。
【図５】本考案による図３の一部を分解した構造を示す拡大分解図である。
【図６】本考案による第１実施形態の針保護構造を示す拡大概略図である。
【図７】本考案による図６の平面を示す概略図である。
【図８】本考案による図６の運動中の状態を示す概略図である。
【図９】本考案による図８の平面を示す概略図である。
【図１０】本考案による図８に連続する運動中の状態を示す概略図である。
【図１１】本考案による図１０の平面を示す概略図である。
【図１２】本考案による図１０に連続する運動中の状態示す概略図である。
【図１３】本考案による図１２の平面を示す概略図である。
【図１４】本考案による図１２に連続する運動中の状態示す概略図である。
【図１５】本考案による図１４の平面を示す概略図である。
【図１６】本考案による第２実施形態の図２の一部拡大外観を示す概略図である。
【図１７】本考案による図１６の一部分解した構造を示す拡大分解図である。
【図１８】本考案による図１６の一部分解した構造を示す拡大分解図である。
【考案を実施するための最良の形態】
【００１７】
以下、本考案の４本針６本糸ミシンの針保護構造を実施するための具体例を、図面を参照しながら詳細に説明する。
【００１８】
図１は本考案による外観と内部構造を示す概略図であり、図２は本考案による図１の一部外観を示す概略図であり、図３は本考案による第１実施形態の図２の一部拡大外観を示す概略図であり、図４は本考案による図３の一部を分解した構造を示す拡大分解図であり、図５は本考案による図３の一部を分解した構造を示す拡大分解図である。
【００１９】
図１乃至図５を参照すると、本考案による４本針６本糸ミシン１０の針保護構造において、４本針６本糸ミシン１０は、ハウジング１１と、ハウジング１１内に設けられる伝達機構３０と、伝達機構３０の構成を駆動する駆動装置２０と、伝達機構３０から駆動されて垂直に上下運動する針案内棒６０を備える。
【００２０】
伝達機構３０は、ハウジング１１に設けることにより、その回転と軸方向の変位を制限される地糸運動主軸４０を少なくとも有し、図４に示すように、地糸運動主軸４０の終端縁部に、縮径セグメント４０１を設け、その縮径セグメント４０１の先端に地糸案内装置４１が固設され、縮径セグメント４０１と地糸運動主軸４０との境界に突き押し部４０２が形成される。図６に示すように、針案内棒６０の下方に針ホルダー７０があり、針ホルダー７０の下方に複数のミシン針８０が設置する。
【００２１】
ハウジング１１内に針保護構造５０を有し、針保護構造５０は、縮径セグメント４０１に設けられる位置制限部材４２と突き押し部４０２と位置制限部材４２との間に位置し縮径セグメント４０１に跨り乗るように設置された跨り乗り座５１と、一端が跨り乗り座５１に締結されハウジング１１に設けることにより軸方向への変位可能のみを制限する支持案内棒５２と、支持案内棒５２の他端に固設され、ミシン針８０を突き押すための針保護部５５１を有する針保護装置５５を少なくとも含む。
【００２２】
なお、位置制限部材４２は縮径セグメント４０１に固設される固定ブロックとすることが可能であり（図１６乃至図１８に示す）、また、位置制限部材４２はバネとすることも可能であり、また位置制限部材４２（バネ）と跨り乗り座５１との間に、縮径セグメント４０１へ設けるはめ輪４２１をさらに有することも可能である。
【００２３】
ちなみに、地糸運動主軸４０には、ハウジング１１内に固設される締結部４３１を有し、縮径セグメント４０１にはめ込み、縮径セグメント４０１の回動の可動範囲と長軸方向の変位量を規定する主軸滑り環４３がある。支持案内棒５２には、はめ筒５３があり、このはめ筒５３は、ハウジング１１の上に固設され、支持案内棒５２にはめ込んで支持案内棒５２の軸方向の変位量を提供する。支持案内棒５２には、スリーブ５４があり、このスリーブ５４は、ハウジング１１の上に固設され、支持案内棒５２にはめ込んで支持案内棒５２の長軸方向の変位量を規定する。
【００２４】
図６は本考案による第１実施形態の針保護構造を示す拡大概略図であり、図７は本考案による図６の平面を示す概略図であり、図８は本考案による図６の運動中の状態を示す概略図であり、図９は本考案による図８の平面を示す概略図であり、図１０は本考案による図８に連続する運動中の状態を示す概略図であり、図１１は本考案による図１０の平面を示す概略図であり、図１２は本考案による図１０に連続する運動中の状態示す概略図であり、図１３は本考案による図１２の平面を示す概略図であり、図１４は本考案による図１２に連続する運動中の状態示す概略図であり、図１５は、本考案による図１４の平面を示す概略図である。
【００２５】
図６乃至図１５を参照すると、本考案による４本針６本糸ミシン１０は、まだ縫製を行なっておらず、ミシン針８０が最高点にある際、そのミシン針８０、地糸案内装置４１および針保護装置５５の３者の相対位置が図６及び図７に示すように、始めて縫製を行ないミシン針８０が下へ変位して最低点に至る際、その地糸運動主軸４０が同期して地糸案内装置４１および針保護装置５５を駆動して軸方向へ変位して針保護装置５５をミシン針８０に突き押し、この時に地糸運動主軸４０が地糸案内装置４１を駆動してミシン針８０から遠く離れる方向へ回転する（図８及び図９に示す）。なお、この時に地糸運動主軸４０が同期して地糸案内装置４１及び針保護装置５５を駆動して回転軸方向へ変位可能であるが、本考案では、支持案内棒５２および跨り乗り座５１の構造設計により、針保護装置５５が地糸案内装置４１に伴って回転運動を行なうことがない。
【００２６】
ミシン針８０が動き始めて最低点から上方向へ変位する際、この時に地糸運動主軸４０が地糸案内装置４１のミシン針８０への回転運動を駆動するが、跨り乗り座５１および支持案内棒５２の構造設計のため、針保護装置５５が地糸案内装置４１に伴って回転運動を行なうことがなく、この時に針保護装置５５の位置が全く変わらず軸方向にミシン針８０を突き押す運動が維持する（図１０及び図１１に示す）。ミシン針８０が続けて上方向へ変位する際、地糸運動主軸４０が続けて地糸案内装置４１の回転運動を駆動する（図１２及び図１３に示す）。
【００２７】
同じように、ミシン針８０が再び上方へ変位し、地糸運動主軸４０が続けて地糸案内装置４１の回転運動を駆動し、針保護装置５５の位置が変更なく続けてミシン針８０を突き押す（図１４及び図１５に示す）。最後にミシン針８０が上方向へ変位して最高点に至った後、そのミシン針８０、地糸案内装置４１および針保護装置５５の三者の相対位置が図１４及び図１５に示すように戻る。前記の動作を繰り返して、本考案による４本針６本糸ミシン１０に行なう縫製作業である。
【００２８】
以上のように、地糸案内装置４１と針保護装置５５との分離設置に形成された針保護構造５０を通じて、突き押し部４０２と位置制限部材４２の間に位置し縮径セグメント４０１に跨り乗る跨り乗り座５１と、一方が跨り乗り座５１に締結され、ハウジング１１に設けることにより軸方向への変位可能のみを制限する支持案内棒５２により、針保護装置５５が地糸案内装置４１に伴って長軸方向の変位運動のみを行えて突き押しの目的が達成しても、針保護装置５５が地糸案内装置４１に伴って回転運動を行うことがなく、よって、針保護装置５５が回転することでミシン針８０とぶつかるという問題が発生しない。
【００２９】
以上で述べたものは本考案の好ましい実施例であり、本考案の実施範囲に限られることではなく、本考案の実用新案登録請求範囲による同等的な変形と修整は、全て本考案の実用新案登録請求範囲内に属する。
【符号の説明】
【００３０】
１０    ４本針６本糸ミシン
１１    ハウジング
２０    駆動装置
３０    伝達機構
４０    地糸運動主軸
４０１  縮径セグメント
４０２  突き押し部
４１    地糸案内装置
４２    位置制限部材
４２１  はめ輪
４３    主軸滑り環
４３１  締結部
５０    針保護構造
５１    跨り乗り座
５２    支持案内棒
５３    はめ筒
５４    スリーブ
５５    針保護装置
５５１  針保護部
６０    針案内棒
７０    針ホルダー
８０    ミシン針
【図１】
0003210233.tif 000003
【図２】
0003210233.tif 000004
【図３】
0003210233.tif 000005
【図４】
0003210233.tif 000006
【図５】
0003210233.tif 000007
【図６】
0003210233.tif 000008
【図７】
0003210233.tif 000009
【図８】
0003210233.tif 000010
【図９】
0003210233.tif 000011
【図１０】
0003210233.tif 000012
【図１１】
0003210233.tif 000013
【図１２】
0003210233.tif 000014
【図１３】
0003210233.tif 000015
【図１４】
0003210233.tif 000016
【図１５】
0003210233.tif 000017
【図１６】
0003210233.tif 000018
【図１７】
0003210233.tif 000019
【図１８】
0003210233.tif 000020